(57)【要約】 【課題】  本発明は、施工が容易で、大量生産が可能で、安価なパネルを使用すると共に、固定部材や押さえ部材の隙間からの漏水を十分に防ぐことができ、地震により破壊され難く、アンカボルトを打ち込み、押え板で押え付けるだけで、長期間経過後であっても、パネル外周縁が波打ち浮き上がることがなく、従来パネルよりも強度に優れ、長期間安定した構造を維持できるビルの屋上構造を提供するものである。【解決手段】  本発明のビルの屋上構造は、四辺形のパネルをビルの屋上に敷きつめるようにし、パネルの四辺に一定幅で平坦なフランジ部を形成し、フランジ部の外周縁に連続する補強凸部設け、フランジ部から所定の傾斜角度で隆起させて稜線で形成する角錐状の凸形のパネル面を形成し、パネルの硬質樹脂からなる表皮の裏面に発泡樹脂からなる断熱層を設け、パネルの裏面には、多数の突起を形成し、屋上の床面との間に多くの通気層を形成したことを特徴とする。【選択図】      図１
2018009435.tif 000002
【特許請求の範囲】
【請求項１】
四辺形のパネルをビルの屋上に敷きつめるようにし、該パネルの四辺に一定幅で平坦なフランジ部を形成し、該フランジ部の外周縁に補強凸部を連続して設け、該フランジ部から所定の傾斜角度で隆起させて稜線で形成する角錐状の凸形のパネル面を形成し、該パネルの硬質樹脂からなる表皮の裏面に発泡樹脂からなる断熱層を設け、パネルの裏面には、多数の突起を形成し、屋上の床面との間に多くの通気層を形成したことを特徴とするビルの屋上構造。
【請求項２】
前記パネル面と前記フランジ部との間に該パネル面より傾斜角度が急な排水パネル面を設けることを特徴とする請求項１に記載のビルの屋上構造。
【請求項３】
敷きつめたパネルの隣り合うフランジ部間に形成された目地の上、押え板の上、および必要に応じて設けられる固定部材の上を覆うシート材を貼着したことを特徴とする請求項１に記載のビルの屋上構造。  
【請求項４】
敷きつめたパネルの隣り合うフランジ部全体を覆う補強材を貼着することを特徴とする請求項１に記載のビルの屋上構造。
【請求項５】
敷きつめたパネルの隣り合うフランジ部全体を覆う補強材を貼着し、その上に振動吸収材を貼着することを特徴とする請求項１に記載のビルの屋上構造。
【請求項６】
前記パネルを敷きつめ、パネルの角にアンカボルトを打ち込んで、アンカボルトの頭と押え板で前記補強凸部を押え付けて四枚のパネルを固定し、必要に応じてパネルの外周側面が向い合っている部分にアンカボルトを打ち込んで、アンカボルトの頭と押え板で該補強凸部を押え付けて二枚のパネルを固定することを特徴とする請求項１ないし５の何れかに記載のビルの屋上構造。
【請求項７】
敷きつめたパネルの露出している表面、及び必要に応じて設けられる、シート材、振動吸収材または補強材の露出している表面に遮熱塗料を塗布することを特徴とする請求項１ないし６の何れかに記載のビルの屋上構造。  
【発明の詳細な説明】
【技術分野】
【０００１】
本発明は、本発明は、ビルの屋上構造の改良に関する。
【背景技術】
【０００２】
ビルの屋上には、一般的に防水パネルが敷きつめられる。また、ビルの屋上、特に高層ビルにおいては、通常時においても相当に強い風が発生している。そして、台風時においても、敷きつめられた防水パネルが剥がれないようにしなければならない。そして更に、パネル自体が安価であり、かつ、施工が容易であることが要求される。  
【０００３】
従来のビルの屋上の構造として、例えば特開平３−８７４６７号公報に開示されたものがある。その概略を図１３に示して説明すると、パネル１ａは表面材２と裏面材３との間に断熱材４を設けている。そして、パネル１ａの目地９の部分は、互いにアリ溝状に係合した複雑な形状になっている。また、目地カバー取付け具５をそれぞれねじ７で固定し、目地９の部分にシールを目的としたコーキング材を充填しながら、パネル１ａを敷きつめてアンカボルト８でビル屋上の床面に固定し、目地カバー６を目地カバー取付け具５に嵌着するようにしている。  
【０００４】
また、他の従来例として、特開平９−２７９７１３号公報に開示されたものがある。その概略を図１４に示して説明すると、パネル１ｂの表面材２は、ボード１１の掛け渡しが可能なように、かつ、アンカボルト８の頭部が入るように凹凸面を形成している。また、この凹凸面の部分には、アンカボルト８の固定力を保持するために、芯材１３が断熱材４内に埋設されている。そしてまず、屋上床面１０に目地板１４をアンカボルト１５で固定し、次にパネル１ｂをこの目地板１４に合わせて敷きつめ、目地９にシール材を充填し、アンカボルト８にてパネル１ｂを屋上床面１０に固定する。次に、両端に目地カバー取付け具５を設けたボード１１を、パネル１ｂの段部に掛け渡すようにして、アンカボルト１２にて屋上床面１０に固定し、目地カバー６を目地カバー取付け具５に嵌着するようにしている。  
【０００５】
次に、図１５に示す従来例において、屋上床面１０と垂直壁１６との間に設ける隅パネル１７は、屋上床面１０から垂直壁１６にかけて沿うように、小さな曲率半径でほぼ９０度に曲げられている。そして、矢印Ａで示すように、空気が抜けるようになっている。  
【先行技術文献】
【特許文献】
【０００６】
【特許文献１】特開平３ー８７４６７号公報
【特許文献２】特開平９ー２７９７１３号公報
【特許文献３】特開２００１−０２７０１７号公報
【発明の概要】
【発明が解決しようとする課題】
【０００７】
上記従来例においてはいづれも、パネルの目地を形成する部分の形状が複雑であり、特に図１３０に示す従来例にあっては、目地の部分がメスとオスの係合になっていることから、パネル成形用金型が複雑で、かつ、二種類の金型が必要になり、高価なパネルになるという問題がある。また、このような複雑な形状をしたパネルを定形化した四辺形のパネルにして、屋上床面に敷きつめた場合に、四枚のパネルの角を互いに突き合わせた目地の部分が複雑になって、実質的に四辺形のパネルに定形化するのは不可能である。そのため、パネル自体は大型になって大量生産するのが困難になり、高価なパネルになるという問題がある。  
【０００８】
また、実際の施工に際して、目地カバー、目地カバー取付け具、多数のアンカボルト、シール材の充填など部品点数が多くなって、施工工数が多くなり、ビル屋上構造として高価なものになるという問題がある。また、図１１に示す従来例にあっては、目地板１４をアンカボルト１５で先に固定しなければならない。したがって、もしもこの目地板１５の位置が不正確であった場合には、屋上床面１０のコンクリートをはつり、アンカボルト１５を抜いて、はつった部分を埋め戻し、改めて正規の位置にアンカボルト１５を打ち直すといった作業が必要になり、施工性の点で問題がある。  
【０００９】
次に、図１５に示す従来例において、矢印ＢまたはＣ方向の風が吹いた場合に、矢印で示すような渦流がコーナ部に発生する。そして、コーナ部Ｄが負圧になる。この負圧によって、隅パネル１７には垂直壁１６から剥離する方向に力Ｆが働くことになる。そして、隅パネル１７は小さな曲率半径でほぼ直角に折り曲げられているので、垂直壁１６に沿って設けられている隅パネル１７は、力Ｆ方向に曲がり易く、この部分が剥離する可能性が大きいという問題がある。そして、一旦隅パネル１７が剥離した場合には、隅パネル１７全体が剥離し、ついには屋上床面１０のパネル１も剥離してしまうという問題がある。
【００１０】
前記パネルの問題点を解決したパネルを用いたビルの屋上構造として、特開２００１−０２７０１７号公報に開示されたものがある。このものは、パネルの形状を単純化することにより、安価かつ大量生産を可能にし、角錐状の凸形のパネル面を形成し、パネルを敷きつめた屋上の表面を凹凸面にして、風の強さを和らげることにより、風による隅パネルの剥離を防止することができ、パネルは硬質樹脂からなる表皮の裏面に発泡樹脂からなる断熱層を設けた単純な構造であるので、安価なパネルにすることができる。さらに、パネルの裏面には、多数の突起が形成されており、屋上の床面との間に多くの通気層を形成することにより、ビル屋上の床面のコンクリートから蒸発する水分を含んだ空気を逃がし、水蒸気圧によるパネルの膨らみを防止するという優れた効果を有するものである。  
しかし、特開２００１−０２７０１７号公報に開示されたパネルは、固定部材や押さえ部材の隙間からの漏水を十分に防ぐことができないという問題があり、さらに地震により破壊され易いという問題を有するものである。
【００１１】
更に、特開２００１−０２７０１７号公報に開示されたパネルは、アンカボルトを打ち込み、押え板で押え付けることにより安定した構造を構築できるものの、漏水を十分に防止することができなかった。さらに、長期間経過すると、ビルの屋上のコンクリートの凹凸等の影響でパネル外周縁が波打ち浮き上がって、アンカボルトの押え板との間に隙間が生じパネルの安定性が損なわれるという問題が発生した。また、該パネルは十分な強度を有するものの、更に強度が向上することが望まれている。
【００１２】
本発明は、パネルの形状を単純化し、かつ、定形化したパネルでも施工が容易にできるようにして、大量生産を可能にし、安価なパネルにすると共に、施工工数を少なくし、更に隅部における剥離を防止し、固定部材や押さえ部材の隙間からの漏水を十分に防ぐことができ、さらに地震により破壊され難く、アンカボルトを打ち込み、押え板で押え付けるだけで、長期間経過後であっても、パネル外周縁が波打ち浮き上がることがなく、従来パネルよりも強度に優れ、長期間安定した構造を維持できるビルの屋上構造を提供するものである。    
【課題を解決するための手段】
【００１３】
上記課題を解決するための、請求項１の記載から把握される手段は、四辺形のパネルをビルの屋上に敷きつめるようにし、該パネルの四辺に一定幅で平坦なフランジ部を形成し、該フランジ部の外周縁に補強凸部を連続して設け、該フランジ部から所定の傾斜角度で隆起させて稜線で形成する角錐状の凸形のパネル面を形成し、該パネルの硬質樹脂からなる表皮の裏面に発泡樹脂からなる断熱層を設け、パネルの裏面には、多数の突起を形成し、屋上の床面との間に多くの通気層を形成したことを特徴とする。  
【００１４】
次に、請求項２の記載から把握される手段は、前記パネル面と前記フランジ部との間に該パネル面より傾斜角度が急な排水用パネル面を設けることを特徴とする。
【００１５】
次に、請求項３の記載から把握される手段は、敷きつめたパネルの隣り合うフランジ部間の目地の上、押え板の上および必要に応じて設けられる固定部材の上を覆うシート材を貼着したことを特徴とする。  
【００１６】
次に、請求項４の記載から把握される手段は、敷きつめたパネルの隣り合うフランジ部全体を覆う補強材を貼着することを特徴とする。
【００１７】
次に、請求項５の記載から把握される手段は、敷きつめたパネルの隣り合うフランジ部全体を覆う補強材を貼着し、その上に振動吸収材を補強材を覆うように貼着することを特徴とする。  
【００１８】
次に、請求項６の記載から把握される手段は、前記パネルを敷きつめ、パネルの角にアンカボルトを打ち込んで、アンカボルトの頭と押え板で前記補強凸部を押え付けて四枚のパネルを固定し、必要に応じてパネルの外周側面が向い合っている部分にアンカボルトを打ち込んで、アンカボルトの頭と押え板で前記補強凸部を押え付けて二枚のパネルを固定することを特徴とする。  
【００１９】
次に、請求項７の記載から把握される手段は、敷きつめられたパネルの露出している表面、及び必要に応じて設けられるシート材、振動吸収材または補強材の露出している表面に遮熱塗料を塗布することを特徴とする。
【００２０】
次に、各請求項の記載から把握される手段によって、課題がどのように解決されるかについて説明する。まず、請求項１の記載から把握される手段において、四辺形のパネルをビルの屋上に敷きつめるようにすることにより、パネルを定形化し、そして、パネルの四辺に一定幅で平坦なフランジ部を形成した形状にすることにより、パネルの形状を単純化すると共に、突き合わせた四枚のパネルのフランジを押さえて固定することができ、更にフランジ部から所定の傾斜角度で隆起させて稜線で形成する角錐状の凸形のパネル面を形成することにより、パネルを敷きつめた屋上の表面を凹凸面にして抵抗を大きくすることにより、風の強さを和らげることができる。そして、パネルは硬質樹脂からなる表皮の裏面に発泡樹脂からなる断熱層を設けた単純な構造を有する。さらに、パネルの裏面には、多数の突起が形成されており、屋上の床面との間に多くの通気層を形成することにより、ビル屋上の床面のコンクリートから蒸発する水分を含んだ空気を逃がし、水蒸気圧によるパネルの膨らみを防止することができる。
さらに、フランジ部の外周縁に連続する補強凸部を設けることにより、フランジ部外周縁の強度が向上するので、アンカボルトを打ち込んで、押え板により補強凸部を押え付けて固定するだけで、長期間経過後であっても、フランジ部外周縁が波打って浮き上がることを防止することができる。
【００２１】
次に、請求項２の記載から把握される手段において、パネル面とフランジ部との間にパネル面より傾斜角度が急な排水用パネル面を設けることにより、排水用パネル面とフランジ部により形成される凹部が排水溝として機能し、雨水が貯まることなく流れ易くなっている。
【００２２】
次に、請求項３の記載から把握される手段において、敷きつめたパネルの隣り合うフランジ部間の目地の上、押え板の上、および必要に応じて設けられる固定部材の上を覆うシート材を貼着することにより、雨水の漏水を容易な作業により防ぐことができる。
【００２３】
次に、請求項４の記載から把握される手段において、敷きつめたパネルの隣り合うフランジ部全体を覆う補強材をビルの屋上構造全体にわたって貼着することにより、雨が降った場合にフランジ間の目地、押さえ部材や固定部材の隙間からの漏水が、防止される。請求項３におけるフランジ部などの上にシート材を貼着するだけの構造も漏水をある程度防ぐことはできるが、補強材を貼着することによる漏水の防止は、遥かに効果的である。
【００２４】
次に、請求項５の記載から把握される手段において、敷きつめたパネルの隣り合うフランジ部全体を覆う補強材をビルの屋上構造全体にわたって貼着し、その上に振動吸収材をビルの屋上構造全体にわたって貼着することにより、雨が降った場合にフランジ間や押さえ部材の隙間などからの漏水が効果的に防止され、さらに大きな地震が起きた場合であっても、振動吸収材が地震の揺れを吸収するので、パネルの破壊を効果的に防ぐことができる。また、補強材の上に振動吸収材を貼着することにより、振動吸収材が安定するので、振動吸収材の耐久性が向上する。
【００２５】
なお、参考発明１による手段として、十字型の固定部材を設け、この固定部材の十字にパネルの辺を沿わせて敷きつめ、固定部材の中心にアンカボルトを打ち込んで、アンカボルトのフランジで四枚のパネルのフランジ部の角を固定するようにすることができる。このようにすると、この固定部材を屋上床面に固定する前に、パネルの位置決をすることができ、かつ、アンカボルトの数を少なくすることができる。  
【００２６】
なお、参考発明２による手段として、固定部材を二本のメンバーで構成することができる。二本のメンバーにした理由は、固定部材の加工を容易にして大量生産に適していること、および固定部材を分解した状態では、棒状の二本のメンバーとなり、倉庫の保管場所と現場への輸送スペースを少なくするためである。また、このメンバーは、Ｕ字形材料を使用し、屋上床面との間に空気通路を形成するので、屋上の床面のコンクリートから蒸発する水分を含んだ空気を逃がすことによって、水蒸気圧によるパネルの膨らみを防止することができる。  
【００２７】
次に、請求項６の記載から把握される手段において、パネルを敷きつめ、パネルの角にアンカボルトを打ち込んで、アンカボルトの頭と押え板で補強凸部を押え付けて四枚のパネルを固定し、必要に応じてパネルの外周側面が向い合っている部分にアンカボルトを打ち込んで、アンカボルトの頭と押え板で補強凸部を押え付けて二枚のパネルを固定することにより、従来より強度に優れ、フランジ部外周縁が波打って浮き上がることを防止可能で、安定したビルの屋上構造を容易に構築することができる。
【００２８】
次に、請求項７の記載から把握される手段において、敷きつめられたパネルの露出している表面、及び必要に応じて設けられるシート材、振動吸収材または補強材の露出している表面に遮熱塗料をビルの屋上構造全体にわたって塗布することにより、遮熱塗料が紫外線を吸収するので、ビルの屋上構造の耐久性を向上させることができる。  
【発明の効果】
【００２９】
請求項１の記載に基づいて、発明の詳細な説明から把握される本発明によれば、四辺形のパネルをビルの屋上に敷きつめるようにして、パネルを定形化し、パネルの四辺に一定幅で平坦なフランジ部を形成し、パネルの形状を単純化することにより、大量生産を可能にして安価なパネルにすることができる。更にフランジ部から所定の傾斜角度で隆起させて稜線で形成する角錐状の凸形のパネル面を形成し、パネルを敷きつめた屋上の表面を凹凸面にして、風の強さを和らげることができるので、風による隅パネルの剥離を防止し、しいては屋上全体のパネルの剥離を防止することができる。そして、パネルは硬質樹脂からなる表皮の裏面に発泡樹脂からなる断熱層を設けた単純な構造であるので、安価なパネルにすることができる。さらに、パネルの裏面には、多数の突起が形成されており、屋上の床面との間に多くの通気層を形成することにより、ビル屋上の床面のコンクリートから蒸発する水分を含んだ空気を逃がし、水蒸気圧によるパネルの膨らみを防止することができる。
さらに、フランジ部の外周縁に連続する補強凸部を設けることにより、フランジ部外周縁の強度が向上しているのでフランジ部の外周縁が変形し難くなっている。さらに、アンカボルトを打ち込んで、押え板により補強凸部を押え付けて固定する際に、押え板で押さえつける力が補強凸部に集中してかかり押え板全体に分散することがないので、フランジ部外周縁が変形し波打って浮き上がることが効果的に防止される。その結果、ビルの屋上構造を、従来パネルよりも安定した状態で長期間維持することができる。
【００３０】
次に、請求項２の記載に基づいて、発明の詳細な説明から把握される本発明によれば、パネル面とフランジ部との間にパネル面より傾斜角度が急な排水用パネル面を設けたので、雨水が貯まることなく流れ易くなっている。
【００３１】
次に、請求項３の記載に基づいて、発明の詳細な説明から把握される本発明によれば、敷きつめたパネルのフランジ部間に形成された目地の上、押え板の上、および必要に応じて設けられる固定部材の上を覆うシート材を貼着するので、雨水の漏水を防ぐことができる。さらに、施工作業が容易なので、パネルの目地部構造を簡単化して、そのシール性を確保することにより、パネルを単純な形状で定形化することができ、かつ、シール材を貼着するという簡単な作業であることから施工工数が少なくなり、安価な屋上構造にすることができる。
【００３２】
次に、請求項４の記載に基づいて、発明の詳細な説明から把握される本発明によれば、敷きつめたパネルの隣り合うフランジ部全体を覆う補強材を貼着しているので、雨が降った場合に、フランジ間の目地、押さえ部材の隙間、必要に応じて設けられる固定部材の隙間からの漏水を効果的に防止することができる。請求項３のフランジ部間の目地の上、必要に応じて設けられる押え板などの上にシート材を貼着する方法でも、ある程度の防水効果は得られるが、補強材を貼着することにより遥かに大きい防水効果を得ることができる。
【００３３】
次に、請求項５の記載に基づいて、発明の詳細な説明から把握される本発明によれば、敷きつめたパネルの隣り合うフランジ部全体を覆う補強材を貼着し、その上に振動吸収材を貼着しているので、補強材が効果的に漏水を防止し、さらに大きな地震が起きた場合でも、振動吸収材が地震の揺れを吸収するのでパネルの破壊を防止することができる。また、補強材を埋め込みその上に振動吸収材を埋め込むので、振動吸収材が安定して貼着されるので、振動吸収材の耐久性が向上する。
【００３４】
なお、参考発明１として、発明の詳細な説明から把握される本発明によれば、十字型の固定部材を設け、この固定部材の十字にパネルの側辺を沿わせて敷きつめ、固定部材の中心にアンカボルトを打ち込んで、アンカボルトのフランジで四枚のパネルの角を固定し、この固定部材を屋上床面に固定する前に、パネルの位置決をすることができるので、位置決不良によるやり直し作業がなくなり、かつ、アンカボルトの数を少なくしたので、部品点数が少なくなると共に、施工工数もすくなくなり、安価な屋上構造にすることができる。  
【００３５】
なお、参考発明２として、発明の詳細な説明から把握される本発明によれば、固定部材を二本のメンバーで構成することにより、固定部材の加工を容易にして大量生産に適したものとすることができ、固定部材を分解した状態では、棒状の二本のメンバーとなり、倉庫の保管場所と現場への輸送スペースを少なくすることができる。また、このメンバーは、Ｕ字形材料を使用し、屋上床面との間に空気通路を形成するので、屋上の床面のコンクリートから蒸発する水分を含んだ空気を逃がすことによって、水蒸気圧によるパネルの膨らみを防止することができる。  
【００３６】
次に、請求項６の記載に基づいて、発明の詳細な説明から把握される本発明によれば、パネルを敷きつめ、パネルの角にアンカボルトを打ち込んで、アンカボルトの頭と押え板で前記補強凸部を押え付けて四枚のパネルを固定し、必要に応じてパネルの外周側面が向い合っている部分にアンカボルトを打ち込んで、アンカボルトの頭と押え板で前記補強凸部を押え付けて二枚のパネルを固定するだけで、従来より強度に優れ、フランジ部外周縁が波打って浮き上がることを防止可能で、安定したビルの屋上構造を容易に構築することができる。
【００３７】
次に、請求項７の記載に基づいて、発明の詳細な説明から把握される本発明によれば、敷きつめられたパネルの露出している表面、及び必要に応じて設けられるシート材、振動吸収材または補強材の露出している表面に遮熱塗料を塗布することにより、遮熱塗料が紫外線を吸収するのでパネル構造の劣化が防止され、耐久性が向上し、従来約５年であった使用可能期間が２倍程度長くなり、約１０年になる。
【図面の簡単な説明】
【００３８】
【図１】本発明の一実施例であるパネルの平面図である。
【図２】図１の裏面図である。
【図３】図１のパネルを用いたビルの屋上構造の平面図である。
【図４】本発明の他の実施例であって、排水用パネル面とフランジ部により形成される凹部であって、シート材が貼着された状態を示す縦断面図である。
【図５】ビルの屋上構造の平面図である。
【図６】排水用パネル面とフランジ部により形成される凹部であって、シート材と補強材が貼着された状態を示す縦断面図である。
【図７】排水用パネル面とフランジ部により形成される凹部であって、シート材と補強材と振動吸収材が貼着された状態を示す縦断面図である。
【図８】固定部材の斜視図である。
【図９】排水用パネル面とフランジ部により形成される凹部であって、固定部材が用いられ、シート材と補強材と振動吸収材が貼着された状態を示す縦断面図である。
【図１０】本発明の一実施例である角部の構造を示す図である。
【図１１】図１０における空気出口部の拡大図である。
【図１２】図１１のＸ−Ｘ線における横断面図である。
【図１３】従来例を示す図である。
【図１４】他の従来例を示す図である。
【図１５】従来の角部構造を示す模式図である。
【発明を実施するための形態】
【００３９】
以下、本発明の実施の形態について説明する。先ず、請求項１の記載から把握される本発明の実施の形態においては、図３に示すように、四辺形のパネル１８をビルの屋上床面１０に敷きつめるようにし、図１に示すように、パネル１８の四辺に一定幅で平坦なフランジ部１９を形成し、フランジ部１９の外周縁に補強凸部４０を連続して設ける。補強凸部４０は、外周縁全体に切れ目なく連続して設けることが好ましいが、本発明の目的を損なわなければ、不連続な部分があってもよい。また、フランジ部１９から所定の傾斜角度で隆起させて稜線２３で形成する角錐状の凸形のパネル面２０を形成する。パネル１８においては図４に示すように、硬質樹脂からなる表皮２４の裏面に発泡樹脂からなる断熱層２５が設けられており、図４に示すようにパネル１８の裏面には、突起２５ａが形成されており、屋上の床面１０との間に多くの通気層２５ｂが形成されている。
【００４０】
次に、請求項２の記載から把握される本発明の実施の形態においては、図４、図６、図７に示すように、パネル面２０とフランジ部１９との間にパネル面２０より傾斜角度が急な排水パネル面３５が設けられている。
【００４１】
次に、請求項３の記載から把握される本発明の実施の形態においては、図４、図５に示すように、敷きつめたパネル１８の隣り合うフランジ部１９間の目地の上、押さえ板２８の上、必要に応じて設けられる固定部材２６の上を覆うシート材３０を貼着する。なお、パネルの角におけるフランジ部１９が直行する部分においては、水平方向に貼着されたシート材３０と垂直方向に貼着されたシート材３０とが二重に貼着される。
【００４２】
次に、請求項４の記載から把握される本発明の実施の形態においては、図６に示すように、敷きつめたパネルの隣り合うフランジ部１９ａ、１９ｂ全体を覆うように補強材３７を、一方の排水用パネル面３５ａから他方の排水用パネル面５ｂまでを覆うようにビルの屋上構造全体にわたって貼着する。補強材としては、ガラス繊維とポリエステル樹脂を用いたガラス繊維強化プラスチックが好ましく用いられる。なお、図６においては、隣り合うフランジ部同士を直接付き合わせているが、後述する固定部材を用いる実施の形態においては、固定部材の十字にパネルの辺を沿わせて敷きつめ、固定部材およびフランジ部全体を覆うように補強材３７を、一方のパネル面から他方のパネル面までビルの屋上構造全体にわたって貼着する（図示せず）。なお、パネルの角におけるフランジ部１９が直行する部分においては、水平方向に貼着された補強材３７と垂直方向に貼着された補強材３７とが二重に貼着される。
【００４３】
次に、請求項５の記載から把握される本発明の実施の形態においては、敷きつめたパネルの隣り合うフランジ部１９ａ、１９ｂ全体を覆うように補強材３７を、一方の排水用パネル面３５ａから他方の排水用パネル面５ｂまでビルの屋上構造全体にわたって貼着し、その上に振動吸収材３８を貼着する。振動吸収材としては、硬質ウレタンが好ましく使用される。なお、パネルの角におけるフランジ部１９が直行する部分においては、水平方向に貼着された補強材３７と垂直方向に貼着された補強材３７とが二重に貼着され、水平方向に貼着され振動吸収材３８と垂直方向に貼着された振動吸収材３８とが二重に貼着される。
【００４４】
なお、図７においては、隣り合うフランジ部同士を直接付き合わせているが、後述する固定部材を用いる実施の形態においては、固定部材の十字にパネルの辺を沿わせて敷きつめ、固定部材およびフランジ部全体を覆うように補強材３７を、一方のパネル面から他方のパネル面までビルの屋上構造全体にわたって貼着し、その上に振動吸収材を貼着する（図示せず）。
【００４５】
次に、参考発明１の実施の形態においては、図８、図９に示すように、十字型の固定部材２６を設け、この固定部材２６の十字にパネル１８の側辺を沿わせて敷きつめ、固定部材２６の中心にアンカボルト２７を打ち込んで、アンカボルト２７の打ち込み力で押さえる押さえ板２８で四枚のパネル１８の平らなフランジ１９の角を固定する。  
【００４６】
次に、参考発明２の実施の形態においては、図８に示すように、固定部材２６は二本のメンバー２６ａと２６ｂで構成されており、二本のメンバー２６ａと２６ｂは、Ｕ字形材料を使用し、屋上床面１０との間に空気通路を形成する。  
【００４７】
次に、請求項６の記載から把握される本発明の実施の形態においては、図３に示すように、パネル１８を敷きつめ、パネル１８の角にアンカボルトを打ち込んで、アンカボルトの頭２７ａと押え板２８ａで補強凸部４０を押え付けて四枚のパネルを固定し、必要に応じてパネルの外周側面が向い合っている部分にアンカボルトを打ち込んで、アンカボルトの頭２７ｂと押え板２８ｂで補強凸部４０を押え付けて二枚のパネルを固定する。
【００４８】
次に、請求項７の記載から把握される本発明の実施の形態においては、敷きつめられたパネルの露出している表面、及び必要に応じて設けられる固定部材、シート材、振動吸収材または補強材の露出している表面に遮熱塗料をビルの屋上構造全体に塗布する（図示せず）。
【実施例１】
【００４９】
以下、本発明の一実施例について説明する。図１はパネル１８の正面図であり、概略正方形である。そして、四辺には平らなフランジ部１９が形成されている。さらに、フランジ部１９の外周縁に補強凸部４０が外周縁の全体に連続して設けられている。フランジ部１９の幅は６５ｍｍ、厚みは２ｍｍとし、補強凸部４０の高さは１ｍｍとし、補強凸部４０の幅は１０ｍｍとした。ただし、外周縁の強度を向上させるという本発明の目的が損なわれない限り、寸法を変更することができ、不連続な部分があってもよい。なお、角部には、角段部を設けることができ（図示せず）、この角段部は、パネル１８の角を押さえ板２８で押さえた時に、押さえ板２８の上面とフランジ部１９の上面が一致するようにする。これにより、シート材３０の貼着が図４に示すように平坦面になり、シート材３０の浮き上がりをなくして密着性をよくし、経時的な剥離をなくすことができる。  
【００５０】
パネル面２０とフランジ部１９との間には、図４、図６、図７に示すように、パネル面２０より傾斜角度が急な排水パネル面３５が設けられている。さらに、排水パネル面３５の内側は、図１に示すように稜線２３で角錐状の凸形になっている。そして、パネル面２０の表面には凹凸が施されている。排水パネル面３５ａと、排水パネル面３５ｂと、フランジ部１９とが凹部を形成することにより、雨が降っても、雨が貯まることなく流れ易くなっている。また、排水パネル面３５の内側を角錐状の凸形にし、パネル表面２０に凹凸を設けることにより、パネル１８を敷きつめた全体の屋上の凹凸を大きくし、屋上面を吹き抜ける風に対する抵抗を大きくして、隅パネル３１にかかる負圧力を軽減することができる。
【００５１】
図２は図１の裏面図であり、図４にも示すようにパネル１８の裏面には、突起２５ａが形成されており、屋上の床面１０との間に多くの通気層２５ｂを形成し、ビル屋上の床面１０のコンクリートから蒸発する水分を含んだ空気を逃がすことによって、水蒸気圧によるパネル１８の膨らみを防止する。また、大きな突起２５ｃを設け（本実施例では９個）、パネル１８の上面にかかる荷重に対する強度を持たせるようにしている。
【００５２】
図４、図５、図６、図７に示すように、敷きつめたパネルの隣り合うフランジ部１９ａとフランジ部１９ｂが突きあわされることにより形成された目地の上を覆うシート材３０が貼着されている。
【００５３】
図６に示す態様においては、隣り合うフランジ部１９ａ、１９ｂと対向する排水用パネル面３５ａ、３５ｂにより凹部が形成され、凹部の底３５において隣り合うフランジ部１９ａとフランジ部１９ｂとが突き合わされて形成された目地を覆うようにシート材３０が貼着され、その上に補強材３７が一方の排水用パネル面３５ａから、他方の排水用パネル面３５ｂまで、フランジ部１９ａ、１９ｂ全体を覆うように貼着されている。
【００５４】
図７に示す態様においては、隣り合うフランジ部１９ａ、１９ｂと対向する排水用パネル面２０ａ、２０ｂにより凹部が形成され、凹部の底３５において隣り合うフランジ部１９ａとフランジ部１９ｂとが突き合わされて形成された目地を覆うようにシート材３０が貼着され、その上に補強材３７が一方の排水用パネル面２０ａから、他方の排水用パネル面２０ｂまで、フランジ部１９ａ、１９ｂ全体を覆うように貼着されている。更に、補強材３７を覆うように、振動吸収材３８が一方の排水用パネル面２０ａから、他方の排水用パネル面２０ｂまで貼着されている。
【００５５】
図６、図７においては、パネル面２０と排水用パネル面３５との間に、一定幅で平坦な補強フランジ部３６が設けられている。これにより、パネルの強度が向上する。
【００５６】
図３においては、パネル１８を敷きつめ、パネル１８の角にアンカボルトを打ち込んで、アンカボルトの頭２７ａと押え板２８で補強凸部４０を押え付けて四枚のパネルを固定し、パネルの外周側面が向い合っている部分にアンカボルトを打ち込んで、アンカボルトの頭２７ｂと押え板２８で補強凸部４０を押え付け二枚のパネル１８を固定している。
【００５７】
次に、固定部材を用いた参考発明１、参考発明２について説明する。
図８において、固定部材２６は二本のメンバー２６ａと２６ｂで構成されており、切り込み部２６ｄを嵌合させることにより、十字形の固定部材２６となる。このように、二本のメンバー２６ａと２６ｂにした理由は、固定部材２６の加工を容易にして大量生産に適していること、および固定部材２６を分解した状態では、棒状の二本のメンバー２６ａと２６ｂになり、倉庫の保管場所と現場への輸送スペースを少なくするためである。また、このメンバー２６ａと２６ｂは、Ｕ字形材料を使用し、屋上床面１０との間に空気通路を形成する。そして、図には現われていないが、押さえ板２８が当接する部分を、押さえ板２８の厚みだけ窪ませることにより、両者の面を一致させ、貼着されるシート材３０の浮き上がりをなくし、密着性をよくするようにする。２６ｃはアンカボルト２７を挿通するための孔であり、十字の中心に位置するようにあけられている。
【００５８】
また、図９に示すように、十字型の固定部材２６を設け、図８に示すように、この固定部材２６の十字にパネル１８の側辺を沿わせて敷きつめ、固定部材２６の中心にアンカボルト２７を打ち込んで、アンカボルト２７の打ち込み力によって押さえられる押さえ板２８により四枚のパネル１８のフランジ部１９の角を固定するようにしたので、定形化したパネル１８の固定が可能になる。すなわち、パネル１８を四角形の形状で、かつ、平坦で単純なフランジ１９を備えたパネル１８に定形化することができる。そして、図６に示すように、パネル１８の側面と固定部材２６の側面との間には嵌合する部分やシール材の充填はなく、両側面を当接させればよいので、この固定部材２６を屋上床面にアンカボルト２７で固定する前に、パネル１８の位置決をすることができる。これにより、位置決不良の発生を防止し、固定部材２６の固定のやり直しといった余分な作業をなくすことができ、かつ、アンカボルト２７の数を少なくすることができる。  
【００５９】
そして、図５に示すように、敷きつめたパネル１８のフランジ部１９および固定部材２６、押さえ部材２８の上にシート材３０を貼着することにより、シールが確保されると共に、施工作業を容易にすることができる。また、固定部材２６のメンバー２６ａ，２６ｂは短いので、この固定部材２６がない互いのパネル１８の目地部には、メンバー２６ａ，２６ｂの幅に相当する隙間ができる。そして、この隙間を塞ぐようにシート材３０が貼着され、かつ、メンバー２６ａ，２６ｂはＵ字状の部材を使用して、空気が流れるようになっているので、上記隙間は空気通路となり、屋上の床面１０のコンクリートから蒸発する水分を含んだ空気を逃がすことによって、水蒸気圧によるパネル１８の膨らみを防止することができる。  
【００６０】
次に、図１０を用いて屋上の角部の施工例を、図１１、図１２を用いて、空気出口部の施工例と作用について説明する。
図１０において、隅パネル３１は屋上床面１０から垂直壁１６にかけて、一定の曲率半径Ｒで設けられている。この曲率半径Ｒはビルの高さＨ１、垂直壁１６の高さＨ２および風の強さにより理論的に求めて決定される。しかしながら、この曲率半径Ｒを理論的に決定した場合には、その曲率半径は一義的に決まるが、この決定の基本的な考えは、矢印ＢまたはＣ方向の風を矢印で示すように整流し、隅部における負圧を軽減することであるので、理論的に求めた一義的な曲率半径Ｒに限定されるものではなく、要するに理論的に求めた曲率半径Ｒを基本にした許容範囲があり、風の流れを整流する曲率半径であればよい。図３に示すように、定形化したパネル１８を屋上の床面１０に敷きつめた時に、床面１０の面積が一定ではないので、半端な部分が生じる。すなわち、図７において、床面１０に順番にパネル１８を敷きつめた時の寸法Ｌ１は、定形化したパネル１８の寸法に応じて一定であるので、床面１０の面積のバラツキによりＬ２の寸法が一定にならない。  
【００６１】
その時には、隅パネル３１の床面１０側を寸法Ｌ２になるように切断し調整する。これにより、定形化したパネル１８の使用が可能になる。すなわち、パネル１８を定形化することができる。また、隅パネル３１の剥離に対する強度を確保するために、アンカボルト２７を打ち込むようにしてもよい。この場合、固定部材２６のメンバー２６ａ  は、隅パネル３１の補強の役目をするので、隅パネル３１の剥離を更に押さえることができる。また、隅パネル３１の現場での曲げ加工が容易なように、断熱層２５に切断線を入れ、図のように切断線から断熱層２５が分離するようにする。  
【００６２】
図１０に示すように、ビル屋上の床面１０と垂直壁１６にかけて、所定の曲率半径Ｒに曲げた隅パネル３１を設け、この曲率半径Ｒはビルの高さＨ１、垂直壁１６の高さＨ２および風速により理論的に決定し、矢印ＢまたはＣのように風の流れを整流するので、隅部に発生する負圧を軽減すると共に、曲げ半径Ｒを大きくすることにより、剥離方向（力Ｆ方向）への隅パネル３１の曲げ強度を高めることができ、隅パネル３１の剥離を抑制することができる。  
【００６３】
図１１および図１２において、隅パネル３１の空気出口３３を、庇部３４の端部と隅パネル３１の先端を折り曲げて先細にすることにより、通常は矢印Ａのように空気をだすようにし、台風等においてこの空気出口３３から逆流しないようにして、隅パネル３１の剥離を防止する。また、空気の流れが可能なように、Ｕ字状の当て部材３２を介在させて、隅パネル３１の空気出口３３側にアンカボルト２７を打ち込み、隅パネル３１の剥離をより確実に防止するようにしてもよい。  
【００６４】
図示はしないが、敷きつめられたパネルの露出している表面、及び必要に応じて設けられる振動吸収材または補強材の露出している表面に遮熱塗料が塗布されている。
【００６５】
以上のように構成した本実施例の作用について次に説明する。図３に示すように四辺形のパネル１８をビルの屋上床面１０に敷きつめ、フランジ部１９の外周縁全体に連続する補強凸部４０を設け、互いの平らなフランジ部１９の角部を補強凸部４０の上から一つの押さえ板２８で固定することにより、パネル１８を定形化した単純な形状にすることができる。そして、図１に示すように、パネル１８の四辺に一定幅で平坦なフランジ部１９を形成することにより、パネル１８の形状を単純化することができ、フランジ部１９の外周縁に連続する補強凸部４０を設けて強度を向上させることにより、屋上構造を構築後長期間経過しても、パネル外周縁が波打ち浮き上がって、アンカボルトの押え板との間に隙間が生じてパネルの安定性が損なわれるということが防止される。また、押え板２８で補強凸部４０を押さえつけることにより、力が補強凸部４０に集中的にかかるので、補強凸部４０を更にフランジ部１９を効率よく押さえつけることができ、この点からも安定性が向上する。
【００６６】
更にフランジ部１９から所定の傾斜角度で隆起させて稜線２３で形成する角錐状の凸形のパネル面２０を形成することにより、パネル１８を敷きつめた屋上の表面は凹凸面になり、屋上を吹き流れる風の抵抗を大きくして、風の強さを和らげることができる。そして、パネル１８は硬質樹脂からなる表皮２４の裏面に発泡樹脂からなる断熱層２５を設けた単純な構造にする。  
【００６７】
図６、図７に示すように、パネル面２０の下部に段部３６ａに続く平坦な補強フランジ部３６が設けられ、補強フランジ部３６から下が急な下り坂の排水用パネル面３５として形成されているので、排水用パネル面３５とフランジ部１９で形成される凹部が排水溝として働くことにより、雨水が貯まることなく流れ易くなっている。また、補強フランジ部３６が設けられていることにより、パネルの強度が向上している。  
【００６８】
図６に示すように、隣り合うフランジ部１９ａ、１９ｂ全体を覆うように、補強材３７が排水用パネル面２０ａから排水用パネル面２０ｂに達するまでビルの屋上構造全体にわたって設けられていることにより、シート材２８が屋上構造の表面に現れている構造と比べると、フランジ間の目地や、押さえ部材の隙間や、固定部材からの漏水がより確実に防止される。
【００６９】
図７に示すように、隣り合うフランジ部１９ａ、１９ｂ全体を覆うように、補強材３７が排水用パネル面２０ａから排水用パネル面２０ｂに達するまでビルの屋上構造全体にわたって設けられ、さらにビルの屋上構造全体にわたって、補強材３７が振動吸収材３８により覆われているので、固定部材や押さえ部材の隙間からの漏水がより確実に防止され、さらに大きな地震が起きた場合であっても、振動吸収材３８が地震の揺れを吸収するので、個々のパネル、さらにビルの屋上構造全体の破壊を効果的に防ぐことができる。
【００７０】
また、図３に示すように、ほぼ正方形に定形化したパネル１８を敷きつめ、パネル１８をフランジ部１９から隆起させ、屋上の上面を凹凸にし、屋上を吹き流れる風の抵抗を大きくして、風の強さ（風圧）を弱めることと相俟って、隅パネル３１の整流効果と、剥離方向への曲げ強度を高めることにより、隅パネル３１の剥離をより確実に防止し、しいては屋上に張られたパネル１８全体の剥離も防止することができる。
【００７１】
また、図３に示すように、パネルの角や辺の補強凸部が形成されている部分をアンカボルト２７と押え板２８を用いて固定することにより、パネルを用いたビルの屋上構造を容易に構築することができ、完成した屋上構造は長期間安定して維持されるものである。
【００７２】
図示はしないが、ビルの屋上構造全体が遮熱塗料で塗布されているので、紫外線による劣化が抑制され、使用可能年数が大幅に伸びる。
【符号の説明】
【００７３】
１ａ、１ｂ  従来のパネル
２  表面材
３  裏面材
４  断熱材
５  目地カバー取付け具
６  目地カバー
７  ねじ
８  アンカボルト
９  目地
１０  ビル屋上の床面
１１  ボード
１２  ボルト
１３  芯材
１４  目地板
１６  垂直壁
１７  角パネル
１８  パネル
１９、１９ａ、１９ｂ  フランジ部
２０、２０ａ、２０ｂ  パネル面
２１  段部
２２  角段部
２３  角錐の稜線
２４  表皮
２５  断熱層
２５ａ  突起
２５ｂ  通気層
２６  固定部材
２７  アンカボルト
２７ａ、２７ｂ  アンカボルトの頭
２８、２８ａ、２８ｂ  押さえ板
２９  固定筒
３０  シート材
３１  隅パネル
３２  当て部材
３３  空気出口
３４  庇部    
３５、３５ａ、３５ｂ  排水パネル面  
３６  補強フランジ部
３６ａ  段部
３７  補強材
３８  振動吸収材
４０  、４０ａ、４０ｂ  補強凸部
【図１】
2018009435.tif 000003
【図２】
2018009435.tif 000004
【図３】
2018009435.tif 000005
【図４】
2018009435.tif 000006
【図５】
2018009435.tif 000007
【図６】
2018009435.tif 000008
【図７】
2018009435.tif 000009
【図８】
2018009435.tif 000010
【図９】
2018009435.tif 000011
【図１０】
2018009435.tif 000012
【図１１】
2018009435.tif 000013
【図１２】
2018009435.tif 000014
【図１３】
2018009435.tif 000015
【図１４】
2018009435.tif 000016
【図１５】
2018009435.tif 000017